(57)【要約】      （修正有）【課題】医療介護者や家族が高速に移動させることができ、介護ベッド上で直接患者が温水浴することを補助可能であり、使用が便利な可動式入浴装置を提供する。【解決手段】可動式入浴装置は、移動可能なタンク１０と、タンク内の入浴水の取水に用いられる小型ポンプモータ３０と、小型ポンプモータに必要な電力を供給するための少なくとも１つの電池４０と、タンクの頂面に設置され、タオルまたはトイレタリー用品を掛けるために使用されるフレーム５０と、小型ポンプモータに連結される洗浄ユニット６０とを備える。使用者は、タンクを所定の患者の身辺まで移動させ、小型ポンプモータにより取水されたタンク内の入浴水を使用して患者の洗浄を行う。【選択図】図１
0003211793.tif 000002
【実用新案登録請求の範囲】
【請求項１】
入浴水の貯水に用いられ、一側辺には注水口が設けられ、前側辺の底部には排水口が設けられ、且つ側辺には凹型の収容空間が設けられるタンクと、
前記タンクの底端部に設けられる複数の滑車と、
ポンプ端と、給水端と、電源ケーブルとを有し、前記ポンプ端は前記排水口に連結され、前記タンク内の入浴水の取水に用いられる小型ポンプモータと、
前記収容空間内に設置され、前記電源ケーブルを介して前記小型ポンプモータに必要な電力を供給するための電池と、
前記タンクの頂面に設置され、タオルまたはトイレタリー用品を掛けるために使用されるフレームと、
噴水制御装置及び複合管路からなる洗浄ユニットと、を備え、
前記噴水制御装置は把持体と、前記把持体の前端に連結される噴水ヘッドと、前記把持体に設置される制御つまみと、を含み、
前記複合管路は給水管及び導線の組み合わせで構成され、
前記給水管の底端は前記小型ポンプモータの給水端に連結され、上端は前記把持体に連結され、前記給水管は入浴水を前記噴水ヘッドまで送水させ、
前記導線の底端は前記小型ポンプモータに電気的に接続され、上端は前記制御つまみに電気的に接続され、
使用者が、前記タンクを所定の患者の身辺まで移動し、前記噴水制御装置を手で握り、前記制御つまみを押すと、前記小型ポンプモータにより前記タンク内の入浴水が取水され、患者を洗浄することを特徴とする可動式入浴装置。
【請求項２】
前記タンクの底面には洗浄口が設けられることを特徴とする、請求項１に記載の可動式入浴装置。
【請求項３】
前記タンクの側面には温度センサーが設置されることを特徴とする、請求項１に記載の可動式入浴装置。
【請求項４】
前記タンクの排水口は凹弧状部内に位置し、且つ前記凹弧状部には前記小型ポンプモータが収納されることを特徴とする、請求項１に記載の可動式入浴装置。
【考案の詳細な説明】
【技術分野】
【０００１】
本考案は、可動式入浴装置に関する。
【背景技術】
【０００２】
高齢化に伴い、老年性疾病も増加の一途をたどり、行動の不自由な者、脳卒中患者、脳の病変を患う者、中枢神経損傷患者、身体の麻痺がある者、長期間病床に臥せっている者等の多くは行動能力を失い、長期間介護ベッドの上で過ごしている。このため、患者の移動には家族や介護者の手助けが必要であり、力のいる作業であるため家族や介護者、及び患者にとっても不便であり、患者の心理的負担も極めて大きい。特に、長期間ベッドに臥せっている患者にとっては、体を洗うことが最も困難である。
【考案の概要】
【考案が解決しようとする課題】
【０００３】
しかしながら、患者によっては麻痺状態であったり、体が重かったり、身体にチューブが装着されているなど、患者の体を起こすだけでも困難である上、入浴を助け、浴室まで移動させて身体を洗い、浴室で転ばないようにするのは更に難しい。しかし、身体を洗わなければ悪臭を放ち、患者にとっても不快である。このため、家族や介護者は浴室で患者の体を洗う代わりに身体を拭くようにしている。しかし、拭くだけでは清潔に保てず、病原菌が繁殖して皮膚炎や感染症を引き起こすこともある。このため、どのように患者の入浴を助けるかは、医療介護者及び家族にとって困難で苦痛に満ちた課題である。
【０００４】
本考案は、上記課題に鑑みて創作されたものであり、その目的は、可動式入浴装置を提供することにある。
【課題を解決するための手段】
【０００５】
本考案に係る可動式入浴装置の特徴は、入浴水の貯水に用いられ、一側辺には注水口が設けられ、前側辺の底部には排水口が設けられ、且つ側辺には凹型の収容空間が設けられるタンクと、
タンクの底端部に別設される複数の滑車と、
ポンプ端と、給水端と、電源ケーブルとを有し、ポンプ端は排水口に連結され、タンク内の入浴水の取水に用いられる小型ポンプモータと、
収容空間内に設置され、電源ケーブルを介して小型ポンプモータに必要な電力を供給するための電池と、
タンクの頂面に設置され、タオルまたはトイレタリー用品を掛けるために使用されるフレームと、
噴水制御装置及び複合管路からなる洗浄ユニットと、を備え、
噴水制御装置は把持体と、把持体の前端に連結される噴水ヘッドと、把持体に設置される制御つまみと、を含み、
複合管路は給水管及び導線の組み合わせで構成され、
給水管の底端は小型ポンプモータの給水端に連結され、上端は把持体に連結され、給水管は、入浴水を噴水ヘッドまで送水させ、
導線の底端は小型ポンプモータに電気的に接続され、上端は制御つまみに電気的に接続され、
使用者が、タンクを所定の患者の身辺まで移動させ、噴水制御装置を手で握り、制御つまみを押すと、小型ポンプモータによりタンク内の入浴水が取水され、患者を洗浄する。
【０００６】
本考案の可動式入浴装置は簡単に使用でき、且つ医療介護者や家族が高速に移動させることができ、介護ベッド上で直接患者が温水浴することを補助可能であり、使用が便利で人に優しい効果を有する。
【図面の簡単な説明】
【０００７】
【図１】本考案の一実施形態による可動式入浴装置を示す分解斜視図である。
【図２】本考案の一実施形態による可動式入浴装置を示す斜視図である。
【図３】本考案の一実施形態による可動式入浴装置を示す側面図である。
【図４】本考案の一実施形態による可動式入浴装置を示す平面図である。
【図５】本考案の一実施形態による可動式入浴装置を示す底面図である。
【図６】図４に示す６−６線断面図である。
【図７】図４に示す７−７線断面図である。
【図８】図７における８部の拡大図である。
【図９】本考案による可動式入浴装置が使用状態にある場合の参考図である。
【考案を実施するための形態】
【０００８】
以下に図面を参照しつつ、本考案を実施するための形態について詳細に説明する。
【０００９】
（一実施形態）
以下、図１〜９を参照しながら、本考案の実施形態を詳しく説明する。本考案の可動式入浴装置は、以下の部材を備える。
【００１０】
（Ａ）タンク１０は、入浴水（Ｗ）の貯水に用いられ、その一側辺には注水口１１が設けられ、前側辺の底部には排水口１２が設けられ、且つ側辺には凹型の収容空間１３が少なくとも設けられる。複数の滑車２０はタンク１０の底端部に別設され、タンク１０を可動式にする。本実施形態において、タンク１０の底面には洗浄口１４が設けられる。且つタンク１０の側面には温度センサー１５が設置され、入浴水（Ｗ）の温度の計測及び表示に使用され、温度センサー１５は掛着または粘着方式で固定される。
【００１１】
（Ｂ）小型ポンプモータ３０は、ポンプ端３１と、給水端３２と、少なくとも１つの電源ケーブル３３とを有する。ポンプ端３１は排水口１２に連結され、タンク１０内の入浴水（Ｗ）の取水に用いられる。タンク１０の排水口１２は凹弧状部１６内に位置され、且つ凹弧状部１６には小型ポンプモータ３０が収納される。本実施形態において、小型ポンプモータ３０は市販の水電分離商品であり、よってその構造については詳述しない。本考案に運用される小型ポンプモータ３０は体積が小さく、省エネであるという特性を有し、排水口１２に巧みに連結され、外部電源に接続させる必要がなく、小さな電流で作動するため、タンク１０と共に移動させるのに便利である。
【００１２】
（Ｃ）少なくとも１つの電池４０は、収容空間１３内に設置され、電源ケーブル３３を介して小型ポンプモータ３０に必要な電力を供給する。本実施形態において、電池４０は２つ設置され、小型ポンプモータ３０に必要な電力を十分供給し、何時でも何処でも使用可能にする。
【００１３】
（Ｄ）フレーム５０は、タンク１０の頂面に設置され、タオルまたはトイレタリー用品（Ｔ）を掛けるために使用される。また、フレーム５０には１つ以上のホルダー５１が設置される。図９に示すように、フレーム５０にはタオルまたはトイレタリー用品（Ｔ）が掛けられる。また、フレーム５０が包囲する部分、即ち、タンク１０の頂面には着替え（Ｃ）を置ける。
【００１４】
（Ｅ）洗浄ユニット６０は、噴水制御装置６１及び複合管路６２の組み合わせで構成される。噴水制御装置６１は把持体６１１と、把持体６１１の前端に連結される噴水ヘッド６１２と、把持体６１１に設置される制御つまみ６１３とを更に備える。複合管路６２は給水管６２１及び導線６２２を含み、給水管６２１の底端は小型ポンプモータ３０の給水端４２に連結され、上端は把持体６１１に連結され、入浴水（Ｗ）が噴水ヘッド６１２に送られる。導線６２２の底端は小型ポンプモータ３０に電気的に接続され、上端は制御つまみに電気的に接続される。平時には噴水制御装置６１はホルダー５１に嵌装され、全体を移動させやすくする。
【００１５】
このように、タンク１０を所定の患者の身辺まで移動させ、使用者が噴水制御装置６１を手で握り、制御つまみ６１３を押すと、小型ポンプモータ３０がタンク１０内の入浴水（Ｗ）を取水して、患者の洗浄を行う。
【００１６】
本考案は、上述した実施形態に限定されるものではない。上述した実施形態は本考案の技術思想及び特徴を説明するためのものにすぎず、当該技術分野を熟知する者に本考案の内容を理解させると共にこれをもって実施させることを目的としたものであり、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１７】
１０  タンク
１１  注水口
１２  排水口
１３  収容空間
１４  洗浄口
１５  温度センサー
１６  凹弧状部
２０  滑車
３０  小型ポンプモータ
３１  ポンプ端
３２  給水端
３３  電源ケーブル
４０  電池
５０  フレーム
５１  ホルダー
６０  洗浄ユニット
６１  噴水制御装置
６１１  把持体
６１２  噴水ヘッド
６１３  制御つまみ
６２  複合管路
６２１  給水管
６２２  導線
（Ｔ）  タオルまたはトイレタリー用品
（Ｃ）  着替え
【図１】
0003211793.tif 000003
【図２】
0003211793.tif 000004
【図３】
0003211793.tif 000005
【図４】
0003211793.tif 000006
【図５】
0003211793.tif 000007
【図６】
0003211793.tif 000008
【図７】
0003211793.tif 000009
【図８】
0003211793.tif 000010
【図９】
0003211793.tif 000011